(57)【要約】【課題】容器の中心軸を回転軸として回転させられることにより容器内の検体の成分を遠心分離するための遠心分離用容器において、容器外側の開口付近に検体が付着した状態で遠心分離を行った場合でも、遠心分離装置の汚染を防止できるようにする。【解決手段】外観が略円柱形状の容器本体１０内部に検体を貯留する貯留部１１を備えるとともに、容器本体１０の上面に検体を貯留部１１内に注入するための開口１２が設けられた遠心分離用容器１において、容器本体１０の上面側に、開口１２付近に付着した検体が遠心力により容器外に飛散するのを防止する飛散防止壁２０を設ける。【選択図】図２
2014065019.tif 000002
【特許請求の範囲】
【請求項１】
容器本体内部に検体を貯留する貯留部を備えるとともに、前記容器本体に前記検体を前記貯留部内に注入するための開口が設けられ、前記容器本体の中心軸を回転軸として回転させられることにより前記貯留部内の検体の成分を遠心分離するための遠心分離用容器であって、
前記容器本体が、前記開口よりも前記中心軸を中心とした半径方向外方に、前記開口付近に付着した前記検体が遠心力により容器外に飛散するのを防止する飛散防止壁を備えた
ことを特徴とする遠心分離用容器。
【請求項２】
前記飛散防止壁が、前記中心軸と同心の円筒形状である
ことを特徴とする請求項１記載の遠心分離用容器。
【請求項３】
前記飛散防止壁が、内方に延びる飛散抑制部を備えた
ことを特徴とする請求項２記載の遠心分離用容器。
【請求項４】
前記飛散防止壁の内周側に凹みが設けられている
ことを特徴とする請求項２または３記載の遠心分離用容器。
【発明の詳細な説明】
【技術分野】
【０００１】
本発明は、容器の中心軸を回転軸として回転させられることにより容器内の検体の成分を遠心分離するための遠心分離用容器に関する。
【背景技術】
【０００２】
従来より、血液などの検体の成分を遠心分離するための遠心分離装置として特許文献１、２のような装置が知られている。
【０００３】
この遠心分離装置は、遠心分離用容器の内部に血液などの検体を貯留し、遠心分離用容器の中心軸を回転軸として回転させることにより、容器内の検体の成分を遠心分離するものである。
【０００４】
上記の遠心分離装置に用いられる遠心分離用容器は、容器本体内部に検体を貯留する貯留部を備えるとともに、容器本体に検体を貯留部内に注入するための開口が設けられ、貯留部の下面は中心から外周に向けて高くなるように傾斜しており、外周部には遠心分離した高比重の成分を収納する容積を持った環状のトラップ部を有する。
【０００５】
トラップ部には検体において分離したい成分同士の中間の比重を有する分離用ゲルが配されており、貯留部内に検体を注入した状態で容器を回転させると、分離用ゲルよりも高い比重の成分のみがトラップ部において分離用ゲルよりも外周側に移動し、分離用ゲルよりも低い比重の成分は分離用ゲルよりも内側に留まるため、これにより検体の成分を分離することができる。
【先行技術文献】
【特許文献】
【０００６】
【特許文献１】米国特許出願公開第２００７／００７７１８３号明細書
【特許文献２】国際公開第２００８／１４０７４２号
【発明の概要】
【発明が解決しようとする課題】
【０００７】
ところで、上記のような遠心分離用容器に検体を注入する場合には、ピペットや注射器などを用いて、容器に設けられた開口から貯留部内に検体を注入するが、このとき容器外側の開口付近に検体が付着してしまうことがある。
【０００８】
このような状態で遠心分離用容器を遠心分離装置に投入し、そのまま回転させてしまうと、遠心分離装置の内部において、遠心分離用容器の貯留部外に付着した検体が遠心力によって飛散し、装置内部が汚染することがある。
【０００９】
例えば、検体として血液を使用する場合には、遠心分離装置内が血液で汚染し、その汚染した部位にユーザーやサービスマンが触れると感染症などに感染するおそれがある。これまでは、汚染した部位に触れないように、遠心分離装置の容器収容部にユーザーが触れないようシャッターを設けたり、容器収容部を装置内部に設けるなどして対策を施してきたが、このような態様とした場合にはシャッターの開閉や装置内部への遠心分離用容器の移動が必要なため、遠心分離装置の構成が複雑化したり、遠心分離装置に遠心分離用容器を投入してから遠心分離が終了して容器を外部に取りだすまでの時間が長くなって測定効率の低下にもつながる。このように、検体による汚染は種々の問題を生じさせてしまう。
【００１０】
本発明は、上記問題に鑑みてなされたものであり、容器の中心軸を回転軸として回転させられることにより容器内の検体の成分を遠心分離するための遠心分離用容器において、容器外側の開口付近に検体が付着した状態で遠心分離を行った場合でも、遠心分離装置の汚染を防止することが可能な遠心分離用容器を提供することを目的とするものである。
【課題を解決するための手段】
【００１１】
本発明の遠心分離用容器は、容器本体内部に検体を貯留する貯留部を備えるとともに、容器本体に検体を貯留部内に注入するための開口が設けられ、容器本体の中心軸を回転軸として回転させられることにより貯留部内の検体の成分を遠心分離するための遠心分離用容器であって、容器本体が、開口よりも中心軸を中心とした半径方向外方に、開口付近に付着した検体が遠心力により容器外に飛散するのを防止する飛散防止壁を備えたことを特徴とする。
【００１２】
本発明の遠心分離用容器において、飛散防止壁は、中心軸と同心の円筒形状とすることができる。
【００１３】
また、飛散防止壁は、円筒形状の内周面に設けられた円環上の突条や円筒状の壁を内方に傾斜させた傾斜壁などの、内方に延びる飛散抑制部を備えたものとすることが好ましい。
【００１４】
また、飛散防止壁の内周面に円周方向に延びた溝などの凹みを設けることが好ましい。
【発明の効果】
【００１５】
本発明の遠心分離用容器によれば、容器本体に、開口よりも中心軸を中心とした半径方向外方に、開口付近に付着した検体が遠心力により容器外に飛散するのを防止する飛散防止壁を備えるものとしたので、容器外側の開口付近に検体が付着した状態で遠心分離用容器を遠心分離装置に投入して回転させた場合でも、遠心力によって飛散した検体が飛散防止壁で受け止められるため、検体が容器外に飛散することがなく、遠心分離装置が検体で汚染するのを防止することができる。
【００１６】
本発明の遠心分離用容器において、飛散防止壁を、中心軸と同心の円筒形状とすれば、効果的に検体の飛散を防止することができる。
【００１７】
この場合に、飛散防止壁を、内方に延びる飛散抑制部を備えたものとすれば、開口付近から遠心力で外方に移動して飛散防止壁に達した検体について、飛散抑制部でさらなる移動を抑制できるから、中心軸と平行に延びる内壁面のみを有する態様と比較して、検体の容器外への飛散をより確実に抑制することができる。
【００１８】
また、飛散防止壁の内周側に凹みを設けた場合には、開口付近から遠心力で外方に移動して飛散防止壁に達した検体が、その凹みに溜まってさらなる移動が抑制されるから、検体の容器外への飛散をより確実に抑制することができる。
【図面の簡単な説明】
【００１９】
【図１】本発明の一実施の形態の遠心分離用容器の上面図
【図２】上記遠心分離用容器の断面図（図１のII−II線断面図）
【図３】上記遠心分離用容器を用いた遠心分離装置の概略構成図
【図４】上記遠心分離用容器における検体投入時の状態を示す図
【図５】上記遠心分離用容器における遠心分離時の状態を示す図
【図６】上記遠心分離用容器における遠心分離後の状態を示す図
【図７】本発明の遠心分離用容器のその他の態様を示す断面図（１）
【図８】本発明の遠心分離用容器のその他の態様を示す断面図（２）
【発明を実施するための形態】
【００２０】
以下、図面を参照して本発明の実施の形態について詳細に説明する。図１は本発明の一実施の形態の遠心分離用容器の上面図、図２は上記遠心分離用容器の断面図（図１のII−II線断面図）である。
【００２１】
本実施の形態の遠心分離用容器１は、外観が略円柱形状の容器本体１０内部に検体を貯留する貯留部１１を備えるとともに、容器本体１０の上面に検体を貯留部１１内に注入するための開口１２が設けられたものである。
【００２２】
容器本体１０は、上側部材１０ａと下側部材１０ｂとを嵌合させて固着したものであり、上側部材１０ａと下側部材１０ｂとの間に形成される貯留部１１の下面は、中心から外周に向けて高くなるように傾斜しており、また貯留部１１の外周部には検体から遠心分離された高比重の成分を収納する容積を持った環状のトラップ部１３が形成されている。トラップ部１３には、検体において分離したい成分同士の中間の比重を有する分離用ゲル１４が配されている。例えば、検体として血液を用いて、血液を血球成分と血漿成分に分離する場合には、分離用ゲル１４としては血球成分と血漿成分の中間の比重を有するものを用いればよい。
【００２３】
また、容器本体１０の上面側には、開口１２付近に付着した検体が遠心力により飛散するのを防止する飛散防止壁２０が設けられている。この飛散防止壁２０は、容器本体１０の中心軸Ｃと同心の円筒形状で、その上端が開口１２よりも高い位置となるように設けられたものであり、上側部材１０ａと一体的に形成されている。
【００２４】
次に、上記遠心分離用容器を用いた遠心分離装置について説明する。図３は上記遠心分離用容器を用いた遠心分離装置の概略構成図である。
【００２５】
この遠心分離装置５０は、筐体５１内部に遠心分離用容器１を収容する収容部５２を備える。収容部５２には遠心分離用容器１を保持する保持部５３が設けられており、この保持部５３は不図示の回転機構により回転自在に支持されており、保持部５３で保持している遠心分離用容器１の中心軸Ｃが回転機構の回転軸と一致するように構成されている。
【００２６】
次に、上記遠心分離装置において遠心分離用容器内の検体を遠心分離する際の作用効果について説明する。図４は上記遠心分離用容器における検体投入時の状態を示す図、図５は上記遠心分離用容器における遠心分離時の状態を示す図、図６は上記遠心分離用容器における遠心分離後の状態を示す図である。なお、ここでは検体として血液を用いた場合を例として示している。
【００２７】
図４に示すように、まず遠心分離用容器１の貯留部１１内に血液３０が注入される。具体的には、容器本体１０の上面に設けられた開口１２から、ピペットや注射器などにより血液３０が注入されるが、このとき容器本体１０外側の開口１２付近に血液３０が付着してしまうことがある。
【００２８】
次に、血液３０が注入された遠心分離用容器１は、遠心分離装置５０の収容部５２に収納され、遠心分離用容器１の中心軸Ｃを回転軸として回転させられる。すると、図５に示すように、分離用ゲル１４よりも高い比重の血球成分３１のみがトラップ部１３において分離用ゲル１４よりも外周側に移動し、分離用ゲル１４よりも低い比重の血漿成分３２は分離用ゲル１４よりも内周側に張り付く。
【００２９】
このとき、容器本体１０外側の開口１２付近に血液３０が付着していた場合には、遠心力により血液３０が中心軸Ｃを中心とした半径方向外方に飛散してしまい、通常であれば遠心分離装置５０の収容部５２が血液３０で汚染してしまうところであるが、本実施の形態の遠心分離用容器１では、開口１２の周囲に飛散防止壁２０が設けられており、飛散した血液３０が飛散防止壁２０で受け止められるため、収容部５２が血液３０で汚染するのを防止することができる。
【００３０】
そして、遠心分離用容器１の回転を停止させると、図６に示すように、分離用ゲル１４よりも外周側の血球成分３１はトラップ部１３においてトラップされたまま、分離用ゲル１４よりも内周側の血漿成分３２のみが貯留部１１の下面中心付近に降りて貯留される。これにより血漿成分３２のみを抽出することができる。
【００３１】
このように、遠心分離装置５０の汚染を防止することが可能な遠心分離用容器１を用いれば、遠心分離装置５０の遠心分離用容器収容部５２が汚染されることがなくなり、収容部５２をユーザーやサービスマンが触れにくくするような厳重な対策が不要となるので、遠心分離装置５０の構造の簡素化につながる。さらに、遠心分離装置５０の構造が簡素化すれば、遠心分離装置５０に遠心分離用容器１を投入してから遠心分離が終了して容器を外部に取りだすまでの時間も短くできるため、測定効率が向上し、迅速な測定を行わせることが可能となる。
【００３２】
以上、本発明の好ましい実施の形態について説明したが、本発明は上記実施の形態に限定されるものではない。
【００３３】
例えば、飛散防止壁について、内方（中心軸に向かう方向）に延びる飛散抑制部を備えたものとしてもよい。
【００３４】
具体的には、図７に示すように、飛散防止壁２１の内壁面を内側に傾けるように形成してもよい。この場合には傾斜部全体が飛散抑制部として機能する。
【００３５】
また、図８に示すように、内壁面が中心軸Ｃと平行に延びる飛散防止壁２２の一部において、内方に延びる飛散抑制部２２ａを形成してもよい。なお、飛散抑制部２２ａは、飛散防止壁２２の上端部に形成する態様に限らず、開口１２よりも上方であれば飛散防止壁２２の内周側のどの部分に形成してもよい。
【００３６】
飛散防止壁について上記のように内方（中心軸に向かう方向）に延びる飛散抑制部を備えたものとした場合、インジェクション成形などで容器本体１０の上側部材１０ａと一体的に形成するのは困難となるため、上側部材１０ａと飛散防止壁とを別体で形成し、両者を固着するようにしてもよい。
【００３７】
このような態様とすれば、飛散防止壁が中心軸と平行に延びる内壁面のみを有する場合と比較して、検体の容器外への飛散をより確実に抑制することができる。
【００３８】
また、図７に示すように、飛散防止壁の内周側に凹み２５を設けた場合でも、検体の飛散をより抑制することができる。なお、この凹み２５については、内周に沿った環状の凹みとする他、ドット状の凹みを内周に沿ってディンプル状に多数配置してもよい。このような態様としても、飛散防止壁が中心軸と平行に延びる内壁面のみを有する場合と比較して、検体の容器外への飛散をより確実に抑制することができる。
【００３９】
また、飛散防止壁については、上記の飛散抑制部および凹みの両方を備えたものとしてもよく、そのような態様とすれば検体の容器外への飛散をより確実に抑制することができる。
【００４０】
また、上記以外にも、本発明の要旨を逸脱しない範囲において、各種の改良や変形を行なってもよいのは勿論である。
【符号の説明】
【００４１】
１      遠心分離用容器
１０    容器本体
１０ａ  上側部材
１０ｂ  下側部材
１１    貯留部
１２    開口
１３    トラップ部
１４    分離用ゲル
２０    飛散防止壁
２１    飛散防止壁
２２    飛散防止壁
２２ａ  飛散抑制部
３０    血液
３１    血球成分
３２    血漿成分
５０    遠心分離装置
５１    筐体
５２    収容部
５３    保持部
【図１】
2014065019.tif 000003
【図２】
2014065019.tif 000004
【図３】
2014065019.tif 000005
【図４】
2014065019.tif 000006
【図５】
2014065019.tif 000007
【図６】
2014065019.tif 000008
【図７】
2014065019.tif 000009
【図８】
2014065019.tif 000010